(57)【特許請求の範囲】
【請求項１】
湾曲可能な矩形のベース板と、
前記ベース板の互いに平行な第１及び第２の辺に沿って延在する一対の平行な第１の端リブと、
前記ベース板の前記第１及び第２の辺に対して直交する第３及び第４の辺に沿って延在する一対の平行な第２の端リブ、とを備え、
前記ベース板は、前記第１及び第２の辺が湾曲変形する材料で形成され、前記各第１の端リブは、連続することなく離間して配置された断片で形成され、
前記ベース板上で前記第２の端リブの間には、前記第３及び第４の辺に対して平行に延在する補強リブが設けられ、前記第１の端リブの前記断片は、前記第２の端リブの端部に接合された端片と、前記補強リブの端部に接合された補強片とからなり、
前記ベース板には、前記第３及び第４の辺に対して平行に配置される直線状のバタ材を支持する保持片が設けられ、前記保持片は、前記第２の端リブと前記補強リブとの間で前記第１及び第２の辺側に位置して、前記ベース板に接合され、
前記ベース板の前記第１及び第２の辺の長さは、４７１ｍｍと３１４ｍｍとの２種類であることを特徴とする型枠パネル。
【請求項２】
隣接した請求項１記載の型枠パネルの前記第２の端リブ同士を接合してなる型枠パネル組を所定の曲率にするための型枠パネルの曲率調整治具であって、
前記型枠パネル組の前記第１及び第２の辺に平行に延在させる架け渡し部と、
前記架け渡し部の両端部に固定されると共に、遊端が前記ベース板に当接される脚部と、
前記架け渡し部の中央を貫通する雄ネジ部が設けられると共に、前記型枠パネル組の中央の前記第２の端リブに引っ掛けられるフック部を有する棒部と、
前記棒部の前記雄ネジ部に螺着されるナット部と、を備えたことを特徴とする型枠パネルの曲率調整治具。
【請求項３】
請求項１記載の型枠パネルを所定の曲率にするための型枠パネルの曲率調整治具であって、
前記第１及び第２の辺に平行に延在させる架け渡し部と、
前記架け渡し部の両端部に固定されると共に、遊端が前記ベース板に当接される脚部と、
前記架け渡し部の中央を貫通する雄ネジ部が設けられると共に、前記補強リブに引っ掛けられるフック部を有する棒部と、
前記棒部の前記雄ネジ部に螺着されるナット部と、を備えたことを特徴とする型枠パネルの曲率調整治具。
【請求項４】
請求項１記載の型枠パネルの組立て方法であって、
複数枚の前記型枠パネルの前記第２の端リブ同士を連結してなる型枠パネル体を形成する工程と、
前記第３及び第４の辺に対して平行に延在するように直線状のバタ材を前記型枠パネルに固定する工程と、
請求項２記載の曲率調整治具によって、複数の前記型枠パネル組を所定の曲率にした後、曲率固定パイプを前記第１及び第２の辺に対して平行に配置して、前記曲率固定パイプを前記型枠パネル体に固定する工程と、を備えたことを特徴とする型枠パネルの組立て方法。
【請求項５】
請求項１記載の型枠パネルの組立て方法であって、
複数枚の前記型枠パネルの前記第２の端リブ同士を連結してなる型枠パネル体を形成する工程と、
前記第３及び第４の辺に対して平行に延在するように直線状のバタ材を前記型枠パネルに固定する工程と、
平坦な状態で前記型枠パネル体を吊り上げて前記第１及び第２の辺を所定の曲率にした後、曲率固定パイプを前記第１及び第２の辺に対して平行に配置して、前記曲率固定パイプを前記型枠パネル体に固定する工程と、を備えたことを特徴とする型枠パネルの組立て方法。
【発明の詳細な説明】
【技術分野】
【０００１】
本発明は、曲面を有する橋脚など構造物の構築に利用される型枠パネル、この型枠パネルの組立て方法、この型枠パネルの曲率を調整する治具に関するものである。
【背景技術】
【０００２】
従来、このような分野の技術として、特開２００６−３４２６５９号公報がある。この公報に記載された型枠パネルは、矩形平板状に形成された金属製の堰板部を有し、堰板部には、上下方向に延在する補強用のリブが形成されている。さらに、この堰板部の上縁部をＬ字状に折り曲げることで上フランジ部が形成され、堰板部の下縁部をＬ字状に折り曲げることで下フランジ部が形成され、上フランジ部及び下フランジ部は、台形片を一列に並べることによって形成されている。隣接する台形片間には二等辺三角形の切欠部が設けられ、この切欠き部の頂点で堰板部が曲がるようになっている。よって、施工時に、切欠き部の頂点で上フランジ部及び下フランジ部を折り曲げながら、予定された構造物の曲面に合わせるように型枠パネルが設置される。
【先行技術文献】
【特許文献】
【０００３】
【特許文献１】特開２００６−３４２６５９号公報
【特許文献２】特開平１０−２１９９９８号公報
【特許文献３】実開平５−５４７５０号公報
【発明の概要】
【発明が解決しようとする課題】
【０００４】
しかしながら、前述した従来の型枠パネルで構築した構造物の表面は、遠視眼的には、曲面と言えるが、近視眼的には、多角形に近い形状になっており、滑らかな曲面とは言えない。構造物が大きい場合には、多角形であっても、大局的に曲面とみなして良い場合もあるが、構造物が小さくなればなる程、多角形の輪郭が顕著になり、曲面とみなされ難くなるといった問題点があった。
【０００５】
本発明は、構造物が大きい場合でも小さい場合でも、構造物の表面を滑らかな湾曲面に近づけることができる型枠パネルを提供することを目的とする。
【課題を解決するための手段】
【０００６】
本発明は、湾曲可能な矩形のベース板と、
ベース板の互いに平行な第１及び第２の辺に沿って延在する一対の平行な第１の端リブと、
ベース板の第１及び第２の辺に対して直交する第３及び第４の辺に沿って延在する一対の平行な第２の端リブ、とを備え、
ベース板は、第１及び第２の辺が湾曲変形する材料で形成され、各第１の端リブは、連続することなく離間して配置された断片で形成され、
ベース板上で第２の端リブの間には、第３及び第４の辺に対して平行に延在する補強リブが設けられ、第１の端リブの断片は、第２の端リブの端部に接合された端片と、補強リブの端部に接合された補強片とからなり、
ベース板には、第３及び第４の辺に対して平行に配置される直線状のバタ材を支持する保持片が設けられ、保持片は、第２の端リブと補強リブとの間で第１及び第２の辺側に位置して、ベース板に接合され、
ベース板の第１及び第２の辺の長さは、４７１ｍｍと３１４ｍｍとの２種類であることを特徴とする。
【０００７】
この型枠パネルに適用されるベース板は、第１及び第２の辺が湾曲変形する材料で形成され、湾曲変形可能なベース板に設けられた各第１の端リブは、連続することなく離間して配置された断片で形成されているので、第１の端リブに邪魔されることなく、第１及び第２の辺を容易に且つ任意に曲げることができ、しかも、第１及び第２の辺を滑らかな曲面に容易に近づけることができる。従って、構造物が大きい場合でも小さい場合でも、構造物の大きさに拘わらず、構造物の表面を滑らかな湾曲面に近づけることができ、型枠パネルの汎用性を高めることができる。
【０００８】
さらに、ベース板上で第２の端リブの間には、第３及び第４の辺に対して平行に延在する補強リブが設けられ、第１の端リブの断片は、第２の端リブの端部に接合された端片と、補強リブの端部に接合された補強片とからなる。
補強リブを設けると、型枠パネルの強度アップが可能であり、型枠パネルを大型化させることができる。そして、第１の端リブの断片をこのような配置にすることで、型枠パネル同士を第１の端リブで連結させた状態であっても、第１の端リブの存在に邪魔されることなく、第１及び第２の辺を滑らかな曲面に容易に近づけることができる。
【０００９】
さらに、ベース板には、第３及び第４の辺に対して平行に配置される直線状のバタ材を支持する保持片が設けられている。
このような構成を採用すると、バタ材による型枠パネルの補強を容易に行うことができる。
【００１０】
さらに、ベース板の第１及び第２の辺の長さは、４７１ｍｍと３１４ｍｍとの２種類である。
このような構成を採用すると、２種類の型枠パネルの任意の組み合わせだけで、１０ｃｍ刻みの直径をもった円周又は半円周の全長に渡って、型枠パネルを隙間無く配列させることができる。例えば、このような型枠パネルは、円柱状の構造物や半円柱をもった構造物の構築に最適である。
【００１１】
本発明は、隣接した請求項１記載の型枠パネルの第２の端リブ同士を接合してなる型枠パネル組を所定の曲率にするための型枠パネルの曲率調整治具であって、
型枠パネル組の第１及び第２の辺に平行に延在させる架け渡し部と、
架け渡し部の両端部に固定されると共に、遊端がベース板に当接される脚部と、
架け渡し部の中央を貫通する雄ネジ部が設けられると共に、型枠パネル組の中央の第２の端リブに引っ掛けられるフック部を有する棒部と、
棒部の雄ネジ部に螺着されるナット部と、を備えたことを特徴とする。
【００１２】
この型枠パネルの曲率調整治具においては、第２の端リブにフック部を引っ掛けた状態で、ナット部を回すことで、脚部によって型枠パネル組を押さえ込みながら、棒部のフック部によって型枠パネル組の中央の第２の端リブを引張り上げることができる。従って、ナット部の回転量の調節によって、型枠パネル組の曲率を任意に且つ容易に調整することができ、構造物の表面の様々な曲率に対応することができる。
【００１３】
本発明は、請求項２記載の型枠パネルを所定の曲率にするための型枠パネルの曲率調整治具であって、
第１及び第２の辺に平行に延在させる架け渡し部と、
架け渡し部の両端部に固定されると共に、遊端がベース板に当接される脚部と、
架け渡し部の中央を貫通する雄ネジ部が設けられると共に、補強リブに引っ掛けられるフック部を有する棒部と、
棒部の雄ネジ部に螺着されるナット部と、を備えたことを特徴とする。
【００１４】
この型枠パネルの曲率調整治具においては、補強リブにフック部を引っ掛けた状態で、ナット部を回すことで、脚部によって型枠パネルを押さえ込みながら、棒部のフック部によって型枠パネルの中央の第２の端リブが引張り上げることができる。従って、ナット部の回転量の調節によって、型枠パネルの曲率を任意に且つ容易に調整することができ、構造物の表面の様々な曲率に対応することができる。
【００１５】
本発明は、請求項１記載の型枠パネルの組立て方法であって、
複数枚の型枠パネルの第２の端リブ同士を連結してなる型枠パネル体を形成する工程と、
第３及び第４の辺に対して平行に延在するように直線状のバタ材を型枠パネルに固定する工程と、
請求項５記載の曲率調整治具によって、複数の型枠パネル組を所定の曲率にした後、曲率固定パイプを第１及び第２の辺に対して平行に配置して、曲率固定パイプを型枠パネル体に固定する工程と、を備えたことを特徴とする。
【００１６】
この型枠パネルの組立て方法においては、型枠パネル体に複数個の曲率調整治具を横一列に並べた状態で、各曲率調整治具のナット部を回すことで、脚部によって型枠パネル組を押さえ込みながら、棒部のフック部によって型枠パネル組の中央の第２の端リブを引張り上げる。そして、型枠パネル体が所望の湾曲形状になるまで、各ナット部を回し続け、型枠パネル体の湾曲調整後、型枠パネル体を正確な曲率で維持するために、曲率固定パイプを型枠パネル体に固定させる。このような組立て方法にあっては、狭い作業現場で型枠パネル体を組み立てるのに適しており、しかも、曲率調整治具によって、型枠パネル組毎に目視しながら確実に湾曲面を調整することができる。
【００１７】
本発明は、請求項１記載の型枠パネルの組立て方法であって、
複数枚の型枠パネルの第２の端リブ同士を連結してなる型枠パネル体を形成する工程と、
第３及び第４の辺に対して平行に延在するように直線状のバタ材を型枠パネルに固定する工程と、
平坦な状態で型枠パネル体を吊り上げて第１及び第２の辺を所定の曲率にした後、曲率固定パイプを第１及び第２の辺に対して平行に配置して、曲率固定パイプを型枠パネル体に固定する工程と、を備えたことを特徴とする。
【００１８】
この型枠パネルの組立て方法においては、型枠パネル体をクレーン等で吊り上げて、型枠パネル体を所定の曲率にした後、型枠パネル体を吊り上げた状態で、曲率固定パイプを型枠パネル体に固定させ、型枠パネル体を正確な曲率で維持させる。このような組立て方法にあっては、型枠パネル体をクレーン等で吊り上げるだけで良いので、型枠パネルの組立てが極めて簡単で、しかも組立て作業をスピーディに行うことができる。
【発明の効果】
【００２１】
本発明によれば、構造物が大きい場合でも小さい場合でも、構造物の表面を滑らかな湾曲面に近づけることができる。
【図面の簡単な説明】
【００２２】
【図１】本発明に係る型枠パネルの一実施形態を示す斜視図である。
【図２】型枠パネルにバタ材を固定した状態を示す斜視図である。
【図３】型枠パネルを縦方向で連結してなる長尺パネルを示す斜視図である。
【図４】型枠パネルを横方向で連結してなる型枠パネル組を示す斜視図である。
【図５】曲率調整治具を示す斜視図である。
【図６】他の曲率調整治具を長尺パネルに装着した状態を示す斜視図である。
【図７】図６に示された曲率調整治具の拡大斜視図である。
【図８】枠体の分解斜視図である。
【図９】枠体の斜視図である。
【図１０】型枠パネル体に曲率調整治具を装着した状態を示す斜視図である。
【図１１】半円枠体を示す斜視図である。
【図１２】曲率固定パイプ及び型枠締付具を示す斜視図である。
【図１３】円形固定板及びクランプ治具を示す斜視図である。
【図１４】締め付けバンドを示す斜視図である。
【図１５】型枠パネルの他の組立て方法を示す斜視図である。
【図１６】本発明に係る型枠パネルの他の実施形態を示す斜視図である。
【図１７】型枠パネルの更に他の変形例を示す斜視図である。
【図１８】図１７の型枠パネル同士の組み付け前の状態を示す斜視図である。
【図１９】図１７の型枠パネル同士の組み付け後の状態を示す斜視図である。
【発明を実施するための形態】
【００２３】
以下、図面を参照しつつ本発明に係る型枠パネル、型枠パネルの曲率調整治具、型枠パネルの組立て方法の好適な実施形態について詳細に説明する。
【００２４】
図１に示すように、型枠パネル１は、湾曲可能な矩形のベース板２を有し、このベース板２は、湾曲変形し易い材料(例えば、鉄板、ステンレス板、アルミニウム合金板など)によって形成されている。矩形のベース板２の互いに平行な第１及び第２の辺(以下、「短辺」という)２ａ，２ｂには、短辺２ａ，２ｂに沿って延在する一対の平行な第１の端リブ３，４が設けられている。
【００２５】
ベース板２の短辺２ａ，２ｂに対して直交する第３及び第４の辺(以下、「長辺」という)２ｃ，２ｄには、この長辺２ｃ，２ｄに沿って延在する一対の平行な第２の端リブ６，７が設けられている。また、一対の第２の端リブ６，７の間における略中央で、ベース板２には、長辺２ｃ，２ｄに対して平行に延在する補強リブ８が設けられている。
【００２６】
さらに、それぞれの第１の端リブ３，４は、連続することなく離間して配置された断片で形成されている。つまり、第１の端リブ３の断片は、第２の端リブ６，７の一端部に接合された略正方形状の端片３ａ，３ｂと、補強リブ８の一端部に接合された略長方形状の補強片３ｃとからなり、同様に、第１の端リブ４の断片は、第２の端リブ６，７の他端部に接合された略正方形状の端片４ａ，４ｂと、補強リブ８の他端部に接合された略長方形状の補強片４ｃとからなっている。
【００２７】
そして、端片３ａと第２の端リブ６とは直交して接合され、端片３ｂと第２の端リブ７とは直交して接合され、補強片３ｃと補強リブ８とはＴ字状で接合されている。同様に、端片４ａと第２の端リブ６とは直交して接合され、端片４ｂと第２の端リブ７とは直交して接合され、補強片４ｃと補強リブ８とはＴ字状で接合されている。
【００２８】
さらに、端片３ａ，３ｂ，４ａ，４ｂと、補強片３ｃ，４ｃと、第２の端リブ６，７と、補強リブ８とには、任意の個数の治具取付け孔９が形成されている。例えば、端片３ａ，３ｂ，４ａ，４ｂには、それぞれ１個、補強片３ｃ，４ｃには、それぞれ３個、第２の端リブ６，７及び補強リブ８には、等間隔にそれぞれ２０個の治具取付け孔９が形成されている。なお、第２の端リブ６，７及び補強リブ８の治具取付け孔９の個数は、型枠パネル１の長さによって適宜変更される。
【００２９】
前述した構成の型枠パネル１は、第１の端リブ３，４の存在に邪魔されることなく、型枠パネル１同士を第１の端リブ３，４で連結させた状態であっても、第１及び第２の辺(短辺)２ａ，２ｂを容易に且つ任意に曲げることができ、しかも、第１及び第２の辺(短辺)２ａ，２ｂを滑らかな曲面に容易に近づけることができる。従って、構造物が大きい場合でも小さい場合でも、構造物の大きさに拘わらず、構造物の表面を滑らかな湾曲面に近づけることができ、型枠パネル１の汎用性を高めることができる。また、補強リブ８を設けると、型枠パネル１の強度アップが可能であり、型枠パネル１を大型化させることができる。
【００３０】
さらに、図１及び図２に示すように、ベース板２には、長辺２ｃ，２ｄに対して平行に配置される直線状のバタ材１０を支持するための保持片５が設けられている。保持片５は、第２の端リブ６と補強リブ８との間及び第２の端リブ７と補強リブ８との間で短辺２ａ，２ｂ側にそれぞれ位置して、ベース板２に接合されている。そして、略正方形状の保持片５は、角材パイプからなるバタ材１０の側面に当接させるために、長辺２ｃ，２ｄに対して平行に延在し、１個の治具取付け孔９が形成されている。
【００３１】
バタ材１０の両端部は、保持片５の治具取付け孔９及びバタ材１０の貫通孔１１内に挿入されるボルト１２とナット１３によって固定されている。このような構成を採用すると、バタ材１０による型枠パネル１の補強を容易に行うことができる。
【００３２】
次に、型枠パネル１の曲率調整治具３０について説明する。
【００３３】
図３に示すように、長い型枠パネル１と短い型枠パネル１ａとは、長い型枠パネル１の下端に設けられた端片４ａ，４ｂ及び補強片４ｃと、短い型枠パネル１ａの上端に設けられた端片３ａ，３ｂ及び補強片３ｃとを上下で突き合わせ、治具取付け孔９内に挿入されるボルト２１とナット２２によって連結され、これによって長尺パネルＡを作り出している。なお、複数の長い型枠パネル１同士を接続することも可能である。
【００３４】
図４に示すように、横同士で隣接した一方の長尺パネルＡと他方の長尺パネルＡとの連結にあたって、一方の長尺パネルＡの第２の端リブ７と他方の長尺パネルＡの第２の端リブ６とを左右で突き合わせ、Ｕクリップ２３のピン部２３ａを治具取付け孔９内に挿入した状態で、Ｕクランプ部２３ｂを回転させることで、このＵクランプ部２３ｂで端リブ７と第２の端リブ６とを挟み込み、これによって型枠パネル組Ｂを作り出している。
【００３５】
このような型枠パネル組Ｂの曲率を調整するために曲率調整治具３０が利用される。
【００３６】
図４及び図５に示すように、曲率調整治具３０は、型枠パネル組Ｂの略全幅に渡って短辺２ａ，２ｂに平行に延在させる角パイプ状の架け渡し部３１と、架け渡し部３１の両端部に固定されると共に、遊端が第２の端リブ６，７に近接された状態でベース板２に当接される脚部３２と、架け渡し部３１の中央の貫通孔３１ａを貫通する雄ネジ部３３ａが設けられると共に、型枠パネル組Ｂの中央の第２の端リブ６，７の治具取付け孔９に引っ掛けられるフック部３３ｂを有するＬ字状の棒部３３と、棒部３３の雄ネジ部３３ａに螺着されるナット部３４と、を備えている。
【００３７】
この型枠パネルの曲率調整治具３０においては、第２の端リブ６，７の治具取付け孔９にフック部３３ｂを引っ掛けた状態で、ナット部３４を回すことで、脚部３２によって型枠パネル組Ｂを押さえ込みながら、棒部３３のフック部３３ｂによって型枠パネル組Ｂの中央の第２の端リブ６，７を引張り上げることができる。従って、ナット部３４の回転量の調節によって、二点鎖線で示すように、型枠パネル組Ｂの曲率を任意に且つ容易に調整することができ、構造物の表面の様々な曲率に対応することができる。
【００３８】
長尺パネルＡの曲率を調整するために曲率調整治具４０について説明する。
【００３９】
図６及び図７に示すように、曲率調整治具４０は、長尺パネルＡの略全幅に渡って短辺２ａ，２ｂに平行に延在させる角パイプ状の架け渡し部４１と、架け渡し部４１の両端部に固定されると共に、遊端が第２の端リブ６，７に近接された状態でベース板２に当接される脚部４２と、架け渡し部４１の中央の貫通孔４１ａを貫通する雄ネジ部４３ａが設けられると共に、長尺パネルＡの補強リブ８の治具取付け孔９に引っ掛けられるフック部４３ｂを有するＬ字状の棒部４３と、棒部４３の雄ネジ部４３ａに螺着されるナット部４４と、を備えている。
【００４０】
この型枠パネルの曲率調整治具４０においては、補強リブ８の治具取付け孔９にフック部４３ｂを引っ掛けた状態で、ナット部４４を回すことで、脚部４２によって長尺パネルＡを押さえ込みながら、棒部４３のフック部４３ｂによって長尺パネルＡの中央の補強リブ８を引張り上げることができる。従って、ナット部４４の回転量の調節によって、二点鎖線で示すように、長尺パネルＡの曲率を任意に且つ容易に調整することができ、構造物の表面の様々な曲率に対応することができる。
【００４１】
次に、型枠パネル１の組立て方法について説明する。
【００４２】
図８及び図９に示される枠体５０は、コンクリート製の橋脚に利用する例であり、平行な一対の平面枠体５１と、半円筒形状をなす一対の半円枠体５２との組み合わせにより小判型に構成されている。
【００４３】
半円枠体５２を製作するにあたって、先ず、図１０に示すように、Ｕクリップ２３で長尺パネルＡを横に連結して型枠パネル体Ｃを組み立てる。その後、バタ材１０を、長辺２ｃ，２ｄに対して平行に延在するように、長い型枠パネル１と短い型枠パネル１ａとに渡ってそれぞれの長尺パネルＡに固定する。
【００４４】
そして、第２の端リブ６，７の治具取付け孔９に曲率調整治具３０のフック部３３ｂを引っ掛け、曲率調整治具３０を横一列に並べながら、順次、曲率調整治具３０を型枠パネル体Ｃに装着していく。
【００４５】
その後、ナット部３４を回すことで、脚部３２によって型枠パネル組Ｂを押さえ込みながら、棒部３３のフック部３３ｂによって第２の端リブ６，７を引張り上げ、型枠パネル組Ｂを湾曲させる。このような作業を曲率調整治具３０毎で行いながら、図１１に示すように、型枠パネル体Ｃを所望の半円筒形状にする。曲率調整治具３０の利用は、狭い作業現場で型枠パネル体Ｃを組み立てるのに適しており、しかも、型枠パネル組Ｂ毎に目視しながら確実に湾曲面の曲率を調整することができる。
【００４６】
この状態を維持したまま、半円枠体５２の予定された曲率を有する曲率固定パイプ５５を短辺２ａ，２ｂに対して平行に配置して、曲率固定パイプ５５を型枠パネル体Ｃに固定する。このとき、図１２に示すように、型枠締付具５６によって曲率固定パイプ５５が型枠パネル体Ｃに固定される。この型枠締付具５６は、曲率固定パイプ５５を抑え込むためのホルダー部５７と、ホルダー部５７の貫通孔５７ａを貫通する雄ネジ部５８ａが設けられると共に、治具取付け孔９に引っ掛けられるフック部５８ｂを有するＬ字状の棒部５８と、棒部５８の雄ネジ部５８ａに螺着されるナット部５９とからなっている。
【００４７】
さらに、図１３に示すように、型枠パネル体Ｃの端部で曲率を調整するために、型枠パネル体Ｃの端片３ａ，３ｂ及び補強片３ｃに円弧状の円形固定板６０を当接させ、各円形固定板６０を一列に並べた状態で、クランプ治具６１で円形固定板６０を型枠パネル体Ｃに固定させる。このクランプ治具６１は、雌ネジ６２を回転させることでクランク板６３，６４が互いに近づいたり離れたりするものであり、円形固定板６０を端片３ａ，３ｂ及び補強片３ｃに当接させた状態で、端片３ａ，３ｂをクランク板６３，６４で挟み込むことで、円形固定板６０が型枠パネル体Ｃの端部に固定される。
【００４８】
そして、コンクリートの圧力に枠体５０が耐えるように、枠体５０の全周に渡って、締め付けバンド６６が巻回されている。図１４に示すように、この締め付けバンド６６は、隣接するバンド部６６ａの端部同士をボルト６７及びナット６８によって連結することで枠体５０の全周に巻回される。
【００４９】
半円枠体５２の曲率は、様々なものがあるが、図１に示すように、型枠パネル１のベース板２の短辺２ａ，２ｂの長さＬが、４７１ｍｍと３１４ｍｍの２種類あれば十分である。この２種類の型枠パネル１の任意の組み合わせだけで、１０ｃｍ刻みの直径をもった円周又は半円周の全長に渡って、型枠パネル１を隙間無く配列させることができる。例えば、このような型枠パネル１は、円柱体をなす構造物や半円柱体をもった構造物の構築に最適である。
【００５０】
以下の表からも明らかなように、１０ｃｍ刻みの直径に対して、４７１ｍｍの型枠パネルと３１４ｍｍの型枠パネルとを任意に組み合わせることで、様々な直径の円又は半円を作り出すことができる。例えば、直径が２ｍの円柱の構造体の場合、４７１ｍｍの型枠パネルを１２枚と３１４ｍｍの型枠パネルを２枚用意すればよい。直径が２ｍの半円柱の構造体の場合、上記枚数の半分でよい。
【表１】
0005409226.tif 000002
【００５１】
本発明は、前述した実施形態に限定されないことは言うまでもない。
【００５２】
例えば、図１５に示すように、地面にフラットな状態で置かれた型枠パネル体Ｃの治具取付け孔９に４本のワイヤ７０の下端を引っ掛け、ワイヤ７０をピラミッド状にした状態で、ワイヤ７０の頂点をクレーンで吊り上げることで、型枠パネル体Ｃを湾曲させる。その後、型枠パネル体Ｃに曲率固定パイプ５５や円形固定板６０を固定する。この組立て方法にあっては、曲率調整治具３０を利用せず、型枠パネル体Ｃをクレーンで吊り上げるだけで良いので、型枠パネル１の組立てが極めて簡単で、しかも組立て作業をスピーディに行うことができる。
【００５３】
前述した型枠パネル１は、縦長であり、第１及び第２の辺２ａ，２ｂが短辺になっており、この短辺２ａ，２ｂが断片になっているが、図１６に示すように、横長の型枠パネル１Ａにあっては、第１及び第２の辺２ａ，２ｂが長辺になっており、この長辺２ａ，２ｂが断片になっている。
【００５４】
また、図１７に示すように、他の型枠パネル１Ｂとして、第３及び第４の辺２ｃ，２ｄには、これに沿って延在してベース板２から直角に立ち上がる一対の平行な端リブ６，７が設けられ、第１及び第２の辺２ａ，２ｂには、これに沿って延在してベース板２から直角に立ち上がる端リブが設けられておらず、第１及び第２の辺２ａ，２ｂは、開放されている。このような型枠パネル１Ｂは、二点鎖線で示すように、内側と外側との両方向に湾曲させることができ、極めて汎用性が高い。
【００５５】
そして、構造物が大きい場合でも小さい場合でも、構造物の表面を滑らかな湾曲面に近づけることができる。しかも、第１及び第２の辺２ａ，２ｂに端リブが設けられていないことで、軽量化することができ、組立て作業負担を軽減することができる。さらには、製造コストの低減をも可能にしている。なお、この構成以外は、図１で示された型枠パネル１と同一であり、同一符号を付して、その説明は省略する。
【００５６】
図１８及び図１９に示すように、上側の型枠パネル１Ｂと下側の型枠パネル１Ｂとを連結する場合、上側の端リブ６と下側の端リブ６とを連結板８０で架け渡し、その後、ボルト８１を端リブ６及び連結板８０に貫通させ、ボルト８１とナット８２とにより端リブ６に連結板８０と固定する。端リブ７についても同様である。
【００５７】
また、中央の補強リブ８は中空であるので、上側の型枠パネル１Ｂの補強リブ８内に連結板８３を挿入した状態で、ボルト８４とナット８５とにより上側の型枠パネル１Ｂに連結板８３を固定する。その後、連結板８３の下端を下側の型枠パネル１Ｂの補強リブ８の端から差し込む。
【００５８】
連結板８７を上側の型枠パネル１Ｂの保持片５の側面に当接させた状態でＵクリップ２３のピン部２３ａを保持片５及び連結板８７に貫通させ、この連結板８７を下側の型枠パネル１Ｂの保持片５の側面に当接させた状態で、Ｕクランプ部２３ｂを回転させる。これによって、上側の保持片５と下側の保持片５とが、ボルトを利用することなく連結される。
【００５９】
この型枠パネル１Ｂに関しては、第１及び第２の辺２ａ，２ｂに端リブが無い以外、型枠パネル１，１Ａと同等の構成を有し、型枠パネル１，１Ａと同様の曲率調整治具や型枠パネルの組立て方法を適用でき、その説明は省略する。
【符号の説明】
【００６０】
Ａ…長尺パネル、Ｂ…型枠パネル組、Ｃ…型枠パネル体、１，１Ａ，１Ｂ…型枠パネル、２…ベース板、２ａ…第１の辺、２ｂ…第２の辺、２ｃ…第３の辺、２ｄ…第４の辺、５…保持片、３，４…端リブ、３ａ，３ｂ，４ａ，４ｂ…端片、３ｃ，４ｃ…補強片、８…補強リブ、１０…バタ材、３０，４０…曲率調整治具、３１，４１…架け渡し部、３２，４２…脚部、３３ａ，４３ａ…雄ネジ部、３３ｂ，４３ｂ…フック部、３３，４３…棒部、３４，４４…ナット部、５５…曲率固定パイプ。
【図１】
0005409226.tif 000003
【図２】
0005409226.tif 000004
【図３】
0005409226.tif 000005
【図４】
0005409226.tif 000006
【図５】
0005409226.tif 000007
【図６】
0005409226.tif 000008
【図７】
0005409226.tif 000009
【図８】
0005409226.tif 000010
【図９】
0005409226.tif 000011
【図１０】
0005409226.tif 000012
【図１１】
0005409226.tif 000013
【図１２】
0005409226.tif 000014
【図１３】
0005409226.tif 000015
【図１４】
0005409226.tif 000016
【図１５】
0005409226.tif 000017
【図１６】
0005409226.tif 000018
【図１７】
0005409226.tif 000019
【図１８】
0005409226.tif 000020
【図１９】
0005409226.tif 000021